(57)【特許請求の範囲】
【請求項１】
小切手が投入又は引き出される媒体入出口と、
前記媒体入出口を介して投入された小切手が臨時集積されるための小切手臨時集積部と、
引き出しのための小切手が保管される小切手保管部と、
投入された小切手又は引き出しのための小切手をプリントするためのプリント装置と、
投入された小切手の反転が必要な場合には投入された小切手を反転させるための反転部と、
を含み、
前記投入された小切手の反転が必要な場合、前記投入された小切手は、前記反転部によって反転された後、前記小切手臨時集積部に集積される小切手保管箱。
【請求項２】
前記媒体入出口から前記プリント装置を迂回して前記小切手臨時集積部に連結されるように形成される引き入れ経路と、
前記小切手臨時集積部から前記プリント装置を通過して前記媒体入出口に連結されるように形成される引き出し経路と、
を更に含む請求項１に記載の小切手保管箱。
【請求項３】
前記媒体入出口を介して投入された小切手は前記引き入れ経路に沿って移送されてから前記小切手臨時集積部に集積され、
前記小切手臨時集積部に集積された小切手は前記引き出し経路に沿って移送されて前記プリント装置によってプリントされる請求項２に記載の小切手保管箱。
【請求項４】
前記小切手保管部に保管された引き出しのための小切手は、前記引き出し経路に沿って移送されて前記プリント装置によってプリントされる請求項２に記載の小切手保管箱。
【請求項５】
前記引き入れ経路及び前記引き出し経路と前記媒体入出口を連結する入出経路と、
前記入出経路上の小切手が前記引き入れ経路に移送されるように小切手の移送方向を調節するダイバータと、を更に含む請求項２に記載の小切手保管箱。
【請求項６】
前記反転部は、前記プリント装置と前記小切手臨時集積部との間に経路に配置される請求項１に記載の小切手保管箱。
【請求項７】
小切手が投入又は引き出される媒体入出口と、
前記媒体入出口を介して投入された小切手が臨時集積されるための小切手臨時集積部と、
引き出しのための小切手が保管される小切手保管部と、
投入された小切手又は引き出しのための小切手をプリントするためのプリント装置と、
投入された小切手の反転が必要な場合、投入された小切手を反転させるための反転部と、
を含み、
前記投入された小切手は反転されずに前記小切手臨時集積部に集積され、前記投入された小切手の反転が必要な場合、前記小切手臨時集積部に集積された小切手が前記反転部によって反転されてから前記プリント装置によってプリントされる小切手保管箱。
【請求項８】
前記プリント装置と前記小切手臨時集積部を連結するためのメイン経路を更に含み、
前記反転部は、前記メイン経路から分岐される第１移送経路と、前記第１移送経路から分岐されて前記第１移送経路と前記メイン経路を連結する第２移送経路を含む請求項１に記載の小切手保管箱。
【請求項９】
前記反転部は、前記メイン経路と前記第１移送経路の連結部位に具備される第１ダイバータと、
前記第１移送経路と前記第２移送経路を連結部位に具備される第２ダイバータと、
前記メイン経路と前記第２移送経路の連結部位に具備される第３ダイバータと、を更に含む請求項８に記載の小切手保管箱。
【請求項１０】
前記反転部は、小切手の移送経路を形成するための第１移送ガイドと、
前記第１移送ガイドと共に前記小切手の移送経路を形成し、前記第１移送ガイドに対して動作可能な第２移送ガイドと、を更に含み、
前記プリント装置は前記第２移送ガイドに安着される請求項１に記載の小切手保管箱。
【請求項１１】
前記プリント装置の装着を感知するための感知器具を更に含む請求項１０に記載の小切手保管箱。
【請求項１２】
前記感知器具は、前記第１移送ガイドと前記第２移送ガイドのうちいずれか一つに具備されるセンサ部と、他の一つに具備されるプリズムを含む請求項１１に記載の小切手保管箱。
【請求項１３】
前記感知器具は、前記第１移送ガイドと前記第２移送ガイドのうちいずれか一つに具備される発光センサ部と、他の一つに具備される受光センサを含む請求項１１に記載の小切手保管箱。
【請求項１４】
前記第２移送ガイドはヒンジ軸によって回転し、
前記反転部は、前記第２移送ガイドが前記ヒンジ軸によって前記移送経路を形成しない方向に回転されるようにする回転力を前記第２移送ガイドに提供する弾性部材を更に含む請求項１１に記載の小切手保管箱。
【請求項１５】
前記第１移送ガイド及び前記第２移送ガイドにはそれぞれローラが具備され、
前記プリント装置が装着されると前記第２移送ガイドのローラが前記第１移送ガイドのローラを加圧し、
前記プリント装置が分離されると前記ローラ間の反発力によって前記第２移送ガイドが前記第２移送ガイドから離隔される請求項１１に記載の小切手保管箱。
【請求項１６】
小切手が投入されるか引き出される入出部と、
前記入出部を介して投入された小切手が臨時集積されるための小切手臨時集積部と、
引き出しのための小切手が貯蔵される引出小切手貯蔵空間と、
前記投入された小切手と、前記引き出しのための小切手をプリントするためのプリント装置と、
投入された小切手の反転が必要な場合、投入された小切手を反転させるための反転部と、
プリントされた小切手を保管する投入小切手貯蔵空間と、を含み、
前記投入された小切手は前記プリント装置によってプリントされる前に前記反転部で反転される金融機器。
【請求項１７】
前記小切手貯蔵空間が備えられる小切手保管箱を更に含み、
前記小切手臨時集積部、前記プリント装置及び前記反転部は前記小切手保管箱の内部に位置する請求項１６に記載の金融機器。
【請求項１８】
投入された小切手を前記プリント装置を迂回して前記小切手臨時集積部に移送されるようにするための引き入れ経路と、
プリントのための小切手が前記小切手臨時集積部から前記プリント装置を通過して移送されるようにするための引き出し経路と、を更に含む請求項１６に記載の金融機器。
【請求項１９】
前記反転部は、小切手の移送経路を形成するための第１移送ガイドと、
前記第１移送ガイドと共に前記小切手の移送経路を形成し、前記第１移送ガイドに対して動作可能な第２移送ガイドと、を更に含み、
前記プリント装置は前記第２移送ガイドに安着される請求項１６に記載の金融機器。
【請求項２０】
前記第２移送ガイドはヒンジ軸によって回転し、
前記反転部は、前記第２移送ガイドが前記ヒンジ軸によって前記移送経路を形成しない方向に回転されるようにする回転力を前記第２移送ガイドに提供する弾性部材を更に含む請求項１９に記載の金融機器。
【請求項２１】
紙幣と小切手が一緒に投入・放出可能な媒体入出部と、
前記紙幣と小切手を鑑別できる鑑別部と、
前記媒体入出部を介して投入され、前記鑑別部により鑑別された紙幣を臨時的に集積する紙幣臨時集積部と、
前記媒体入出部を介して投入され、前記鑑別部により鑑別された小切手を臨時的に集積する小切手臨時集積部と、
前記投入された紙幣又は引き出しのための紙幣が保管される紙幣保管箱と、
引き出しのための小切手を集積し、プリント装置を有する小切手保管箱と、
前記投入された小切手を保管するための小切手貯蔵空間と、
を含み、
前記プリント装置は、前記投入された小切手と前記引き出しのための小切手をプリントでき、
前記小切手臨時集積部に集積された小切手は、プリント装置によってプリントされた後小切手貯蔵空間に移送され、
小切手保管箱に保管された小切手は、前記プリント装置によってプリントされた後、前記媒体入出部に放出される金融機器。
【発明の詳細な説明】
【技術分野】
【０００１】
本発明は、媒体保管箱及び金融機器に関するものである。
【背景技術】
【０００２】
一般に金融機器は、顧客が望む金融業務を処理する機器である。前記金融機器で媒体を預け入れるか引き出すことができ、自動的に振り込むことができる。一例に、前記金融機器は、紙幣及び小切手などを預け入れるか引き出すことができる。
【０００３】
ところが、従来の金融機器は紙幣と小切手を別途の入出部を介して預け入れるか引き出すように構成されている。即ち、金融機器には紙幣入出部、紙幣移送経路、紙幣処理モジュールと共に小切手入出部、小切手移送経路、小切手処理モジュールが具備される。
【０００４】
このような従来の金融機器によると、紙幣と小切手を別途に処理するため金融機器が複雑になり、顧客の業務処理時間が増加する問題がある。
【０００５】
特に、従来の金融機器の場合、小切手を一枚ずつ投入するように構成されるため、小切手の入金時間が相当所要される問題がある。
【発明の概要】
【発明が解決しようとする課題】
【０００６】
本発明の目的は、紙幣と小切手を単一の入出部を介して預け入れるか引き出すことができる金融機器を提供することにある。
【０００７】
本発明の他の目的は、小切手の投入方向に関係なく小切手の預け入れ処理が可能な媒体保管箱及び金融機器を提供することにある。
【課題を解決するための手段】
【０００８】
一側面による小切手保管箱は、小切手が投入又は引き出される媒体入出口と、前記媒体入出口を介して投入された小切手が臨時集積されるための小切手臨時集積部と、引き出しのための小切手が保管される小切手保管部と、投入された小切手又は引き出しのための小切手をプリントするためのプリント装置と、投入された小切手の反転が必要な場合には投入された小切手を反転させるための反転部と、を含み、前記投入された小切手の反転が必要な場合、前記投入された小切手は、前記反転部によって反転された後、前記小切手臨時集積部に集積されることを特徴する。
【０００９】
前記媒体入出口から前記プリント装置を迂回して前記小切手臨時集積部に連結されるように形成される引き入れ経路と、前記小切手臨時集積部から前記プリント装置を通過して前記媒体入出口に連結されるように形成される引き出し経路と、を更に含む。
【００１０】
前記媒体入出口を介して投入された小切手は前記引き入れ経路に沿って移送されてから前記小切手臨時集積部に集積され、前記小切手臨時集積部に集積された小切手は、前記引き出し経路に沿って移送されて前記プリント装置によってプリントされる。
【００１１】
前記小切手保管部に保管された引き出しのための小切手は、前記引き出し経路に沿って移送されて前記プリント装置によってプリントされる。
【００１２】
前記引き入れ経路及び前記引き出し経路と前記媒体入出口を連結する入出経路と、前記入出経路上の小切手が前記引き入れ経路に移送されるように小切手の移送方向を調節するダイバータと、を更に含む。
【００１３】
前記反転部は、前記プリント装置と前記小切手臨時集積部との間に経路に配置される。
【００１５】
前記プリント装置と前記小切手臨時集積部を連結するためのメイン経路を更に含み、前記反転部は、前記メイン経路から分岐される第１移送経路と、前記第１移送経路から分岐されて前記第１移送経路と前記メイン経路を連結する第２移送経路を含む。
【００１６】
前記反転部は、前記メイン経路と前記第１移送経路の連結部位に具備される第１ダイバータと、前記第１移送経路と前記第２移送経路を連結部位に具備される第２ダイバータと、前記メイン経路と前記第２移送経路の連結部位に具備される第３ダイバータと、を更に含む。
【００１７】
前記反転部は、小切手の移送経路を形成するための第１移送ガイドと、前記第１移送ガイドと共に前記小切手の移送経路を形成し、前記第１移送ガイドに対して動作可能な第２移送ガイドと、を更に含み、前記プリント装置は前記第２移送ガイドに安着される。
【００１８】
前記プリント装置の装着を感知するための感知器具を更に含む。
【００１９】
前記感知器具は、前記第１移送ガイドと前記第２移送ガイドのうちいずれか一つに具備されるセンサ部と、他の一つに具備されるプリズムを含む。
【００２０】
前記感知器具は、前記第１移送ガイドと前記第２移送ガイドのうちいずれか一つに具備される発光センサと、他の一つに具備される受光センサを含む。
【００２１】
前記第２移送ガイドはヒンジ軸によって回転し、前記反転部は前記第２移送ガイドが前記ヒンジ軸によって前記移送経路を形成しない方向に回転されるようにする回転力を前記第２移送ガイドに提供する弾性部材を更に含む。
【００２２】
前記第１移送ガイド及び前記第２移送ガイドにはそれぞれローラが具備され、前記プリント装置が装着されると前記第２移送ガイドのローラが前記第１移送ガイドのローラを加圧し、前記プリント装置が分離されると前記ローラ間の反発力によって前記第２移送ガイドが前記第２移送ガイドから離隔される。
【００２３】
他の側面による金融機器は、小切手が投入されるか引き出される入出部と、前記入出部を介して投入された小切手が臨時集積されるための小切手臨時集積部と、引き出しのための小切手が貯蔵される引出小切手貯蔵空間と、前記投入された小切手と、前記引き出しのための小切手をプリントするためのプリント装置と、前記投入された小切手の反転が必要な場合、該投入された小切手を反転させるための反転部と、プリントされた小切手を保管する投入小切手貯蔵空間と、を含み、前記投入された小切手は前記プリント装置によってプリントされる前に前記反転部で反転されることを特徴とする。
【００２４】
前記引出小切手貯蔵空間が備えられる小切手保管箱を更に含み、前記小切手臨時集積部、前記プリント装置及び前記反転部は前記小切手保管箱の内部に位置する。
【００２５】
投入された小切手を前記プリント装置を迂回して前記小切手臨時集積部に移送されるようにするための引き入れ経路と、プリントのための小切手が前記小切手臨時集積部から前記プリント装置を通過して移送されるようにするための引き出し経路と、を更に含む。
【００２６】
前記反転部は、小切手の移送経路を形成するための第１移送ガイドと、前記第１移送ガイドと共に前記小切手の移送経路を形成し、前記第１移送ガイドに対して動作可能な第２移送ガイドと、を更に含み、前記プリント装置は前記第２移送ガイドに安着される。
【００２７】
前記第２移送ガイドはヒンジ軸によって回転し、前記反転部は前記第２移送ガイドが前記ヒンジ軸によって前記移送経路を形成しない方向に回転されるようにする回転力を前記第２移送ガイドに提供する弾性部材を更に含む。
さらに、他の側面による小切手保管箱は、小切手が投入又は引き出される媒体入出口と、前記媒体入出口を介して投入された小切手が臨時集積されるための小切手臨時集積部と、引き出しのための小切手が保管される小切手保管部と、投入された小切手又は引き出しのための小切手をプリントするためのプリント装置と、投入された小切手の反転が必要な場合、投入された小切手を反転させるための反転部と、を含み、前記投入された小切手は反転されずに前記小切手臨時集積部に集積され、前記投入された小切手の反転が必要な場合、前記小切手臨時集積部に集積された小切手が前記反転部によって反転されてから前記プリント装置によってプリントされることを特徴とする。
さらに他の側面による金融機器は、紙幣と小切手が一緒に投入・放出可能な媒体入出部と、前記紙幣と小切手を鑑別できる鑑別部と、前記媒体入出部を介して投入され、前記鑑別部により鑑別された紙幣を臨時的に集積する紙幣臨時集積部と、前記媒体入出部を介して投入され、前記鑑別部により鑑別された小切手を臨時的に集積する小切手臨時集積部と、前記投入された紙幣又は引き出しのための紙幣が保管される紙幣保管箱と、引き出しのための小切手を集積し、プリント装置を有する小切手保管箱と、前記投入された小切手を保管するための小切手貯蔵空間と、を含み、前記プリント装置は、前記投入された小切手と前記引き出しのための小切手をプリントでき、前記小切手臨時集積部に集積された小切手は、プリント装置によってプリントされた後小切手貯蔵空間に移送され、小切手保管箱に保管された小切手は、前記プリント装置によってプリントされた後、前記媒体入出部に放出されることを特徴とする。
【発明の効果】
【００２８】
提案される発明によると、単一の媒体入出部を介してバンドル単位の紙幣及び／又は小切手を預け入れるか引き出すことができるため、預け入れ又は引き出しに所要される時間が減ってユーザの便宜性も向上される長所がある。
【００２９】
また、プリント装置が小切手保管箱に配置され、預け入れのための小切手が小切手保管箱に臨時に集積されることで金融機器内部の空間活用度が増加する長所がある。
【００３０】
また、小切手が反転部によって反転されるため小切手の表裏に関係なく小切手を投入することができ、単一のプリント装置によって投入された小切手のプリントが可能な長所がある。
【００３１】
また、本発明によると引き入れ経路と引き出し経路が区分され、小切手保管箱に引き入れられた小切手が引き入れ経路を経て小切手臨時集積部に集積されるため、小切手の集積速度が向上する長所がある。
【００３２】
また、小切手保管箱に引き入れられた小切手がプリント装置を通過せずに小切手臨時集積部に集積されるため、小切手が移送される過程でプリント装置に小切手がかかることが防止される。
【００３３】
また、本発明によると単一の感知器具を利用して媒体の感知だけでなくプリント装置の装着可否を感知することができるため、媒体保管箱の構造が簡単で製作コストが低くなる長所がある。
【図面の簡単な説明】
【００３４】
【図１】本発明の第１実施例による金融機器の斜視図である。
【図２】本発明の第１実施例による金融機器の構成図である。
【図３】本発明の第１実施例による小切手保管箱を概略的に示す図である。
【図４】本発明の第１実施例による小切手の預け入れ過程を説明するためのフローチャートである。
【図５】本発明の第１実施例によって小切手が預け入れされる際の小切手保管箱での小切手の移送経路を示す図である。
【図６】本発明の第１実施例による小切手の引き出し過程を説明するためのフローチャートである。
【図７】本発明の第２実施例による小切手の預け入れ過程を説明するためのフローチャートである。
【図８】本発明の第２実施例によって小切手が預け入れされる際の小切手保管箱での小切手の移送経路を示す図である。
【図９】本発明の第３実施例による小切手保管箱を概略的に示す図である。
【図１０】本発明の第３実施例による小切手の預け入れ過程を説明するためのフローチャートである。
【図１１】本発明の第３実施例によって小切手が預け入れされる際の小切手保管箱での小切手の移送経路を示す図である。
【図１２】本発明の第４実施例による小切手保管箱を概略的に示す図である。
【図１３】本発明の第４実施例による小切手保管箱を概略的に示す図である。
【発明を実施するための形態】
【００３５】
以下、本発明の一部の実施例を例示的な図面を介して詳細に説明する。各図面の構成要素に参照符号を与えるに当たって、同じ構成要素に対してはたとえ他の図面上に表記されていてもできるだけ同じ符号を与えていることに注意すべきである。また、本発明の実施例を説明するに当たって、関連する公知の構成又は機能に対する具体的な説明が本発明の実施例に対する理解を妨げると判断される場合、その詳細な説明を省略する。
【００３６】
また、本発明の実施例の構成要素を説明するに当たって第１、第２、Ａ、Ｂ、（ａ）、（ｂ）などの用語を使用する。このような用語はその構成要素を他の構成要素と区別するためのものに過ぎず、その用語によって該当構成要素の本質や順番又は順序などは限られない。ある構成要素が他の構成要素に「連結」、「結合」又は「接続」されると記載される場合、その構成要素はその他の構成要素に直接的に連結されるか接続される可能性があるが、各構成要素の間に他の構成要素が「連結」、「結合」又は「接続」される可能性もあると理解されるべきである。
【００３７】
本発明の一実施例による金融機器は、一例に紙幣、証券（小切手を含む）、ジーロ、コイン、商品券などのような多様な媒体を入手して預け入れ処理、ジーロ受納、商品券交換などのような処理及び／又は引き出し処理、ジーロ放出、商品券放出処理などのような媒体処理を行う金融業務を行う装置である。このような金融機器の例としては、現金自動支払い機（ＣＤ：Ｃａｓｈ  Ｄｉｓｐｅｎｓｅｒ），現金預け払い機（Ｃａｓｈ  Ｒｅｃｙｃｌｉｎｇ  Ｄｅｖｉｃｅ）などのような現金自動預け払い機（ＡＴＭ：Ａｕｔｏｍａｔｅｄ  Ｔｅｌｌｅｒ  Ｍａｃｈｉｎｅ）などになり得る。しかし、金融機器は上述した例に限られずにＦＩＳ（Ｆｉｎａｎｃｉａｌ  Ｉｎｆｏｒｍａｔｉｏｎ  Ｓｙｓｔｅｍ）のように金融業務を自動化する多様な装置にもなり得る。
【００３８】
以下、金融機器が現金自動預け払い機であると仮定して本発明の実施例を説明する。但し、このような仮定は説明の便宜のために過ぎず、本発明の技術思想が現金自動預け払い機に限って適用されることはない。
【００３９】
また、本発明の思想は各実施例にそのまま限定されず、２つ以上の実施例の組み合わせによって導出される実施例も含むことを明らかにする。
【００４０】
図１は本発明の第１実施例による金融機器の斜視図であり、図２は本発明の第１実施例による金融機器の構成図である。
【００４１】
図１及び図２を参照すると、本発明の第１実施例による金融機器１は内部に多数の部品が内蔵される本体１０を含む。前記本体１０は、紙幣と小切手を一緒に預け入れるか引き出す媒体入出部１３を含む。
【００４２】
前記媒体入出部１３は顧客によって接近可能な媒体収納空間を含み、前記媒体収納空間はシャッター（ｓｈｕｔｔｅｒ）又はカバー（ｃｏｖｅｒ）などのような隠し部材によって開閉され、時には開閉されずに開放した状態で維持される。そして、前記媒体入出部１３には多数の紙幣と多数の小切手が同時に投入される。即ち、前記媒体入出部１３は紙幣と小切手の共通入出部の役割をし、各一枚を含むバンドル単位で紙幣及び小切手のうち一種類以上を前記媒体入出部１３に投入する。また、バンドル単位で紙幣及び小切手のうち一種類以上が前記媒体入出部１３に放出される。そして、前記紙幣と小切手は同じ方向に前記媒体入出部１３に投入されるか前記媒体入出部１３から引き出される。また、前記紙幣と小切手の表裏に関係なく前記紙幣と小切手を投入することができる。もちろん、前記媒体入出部１３は投入されたバンドル単位の紙幣又は小切手を各一枚ずつ分離する分離手段を含んでもよい。
【００４３】
ここで、前記紙幣と小切手が同じ方向に投入又は引き出されるということは、前記紙幣及び小切手は横方向又は縦方向に投入又は引き出されることを意味する。前記横方向は紙幣又は小切手の長さが短い短辺と平行する方向を意味し、前記縦方向は紙幣又は小切手の長さが長い長辺と平行する方向を意味する。そして、前記紙幣と小切手の表裏に関係ないということは、前記紙幣と小切手の表裏のうちいずれの面が上を向いても関係ないということを意味する。
【００４４】
また、前記金融機器１は通帳の入出のための通帳入出部１４と、カードの入出のためのカード入出部１５を更に含む。金融機器１の種類によっては通帳入出部１４とカード入出部１５のうち一つ以上が具備されなくてもよい。
【００４５】
前記金融機器１は鑑別部２０を更に含む。前記鑑別部２０は、媒体を受納するか引き出す際に媒体の種類を識別するか不良媒体を判別する。本実施例において、前記鑑別部２０は一例に紙幣と小切手の状態を鑑別する。前記媒体入出部１３と前記鑑別部２０との間には紙幣と小切手を共通に移送するための移送部１９が具備される。前記鑑別部２０は、光学式文字読み取り装置（ＯＣＲ：Ｏｐｔｉｃａｌ  Ｃｈａｒａｃｔｅｒ  Ｒｅａｄｅｒ）及び磁気インク文字読み取り装置（ＭＩＣＲ：Ｍａｇｎｅｔｉｃ  Ｉｎｋ  Ｃｈａｒａｃｔｅｒ  Ｒｅａｄｅｒ）のうち一つ以上を含む。
【００４６】
前記金融機器１は、紙幣が臨時に集積される紙幣臨時集積部３０を更に含む。前記紙幣臨時集積部３０は、顧客が紙幣を前記金融機器１に預け入れようとする場合、前記媒体入出部１３を介して受納された紙幣を臨時に貯蔵する。前記紙幣臨時集積部３０に集積された紙幣は、顧客が紙幣受納を最終的に決定した際に後述する紙幣保管箱４１，４２，４３に移送される。
【００４７】  前記金融機器１は、媒体を保管するための媒体保管箱４０を更に含む。前記媒体保管箱４０は一つ以上の紙幣保管箱４１，４２，４３と一つ以上の小切手保管箱４４を含む。本明細書において、前記紙幣保管箱４１，４２，４３及び小切手保管箱４４の個数には制限がないことを明らかにする。
【００４８】
前記紙幣保管箱４１，４２，４３には移送された紙幣が引き入れられるための媒体入口と、前記紙幣保管箱４１，４２，４３の内部に集積された紙幣を外部に放出させる媒体出口が形成される。一般に、前記紙幣保管箱４１，４２，４３の外観を構成する箱（ｂｏｘ）の上端に前記媒体入口と媒体出口が形成される。しかし、本発明の紙幣保管箱の媒体入口と媒体出口の位置は制限がないことを明らかにする。
【００４９】
また、前記紙幣保管箱４１，４２，４３の内部には前記紙幣保管箱４１，４２，４３の外部から移送された紙幣を並んで集積させる媒体集積手段と、集積された紙幣を一枚ずつ分離して前記紙幣保管箱４１，４２，４３の外部に移送する媒体ピックアップ手段（ｐｉｃｋ−ｕｐ  ｍｅａｎｓ）が共に具備される。即ち、前記紙幣保管箱４１，４２，４３に集積された紙幣が紙幣保管箱４１，４２，４３の外部に排出され、投入された紙幣が前記紙幣保管箱４１，４２，４３に集積される。前記紙幣保管箱４１，４２，４３の具体的な構成は予め知られている構成で具現されても構わない。本明細書において、前記紙幣保管箱４１，４２，４３の構造、紙幣の排出可能可否及び紙幣の投入可能可否は上述した例に制限されないことを明らかにする。
【００５０】
前記紙幣保管箱４１，４２，４３は重力方向に媒体が集積されるように重力方向に平行する方向に長く形成され、前記金融機器１の内部の下側部に配置される。前記金融機器１に複数の紙幣保管箱４１，４２，４３が具備される場合、複数の紙幣保管箱４１，４２，４３が水平方向に配置される。他の例として、前記複数の紙幣保管箱４１，４２，４３が垂直方向に配置されてもよい。
【００５１】
前記小切手保管箱４４は、前記複数の紙幣保管箱４１，４２，４３と共に水平方向に配置される。他の例として、前記小切手保管箱４４は前記複数の紙幣保管箱４１，４２，４３と共に垂直方向に配置されてもよい。前記小切手保管箱４４には引き出しのための小切手が保管される。前記小切手保管箱４４の構造は図面を参照して後述する。
【００５２】  前記金融機器１は、小切手投入箱５４（又は媒体投入箱）を更に含む。前記小切手投入箱５４は正常的に投入された小切手が保管される。前記小切手投入箱５４と前記小切手保管箱４４は分離された別途のモジュールであってもよい。他の例として、前記小切手投入箱５４は前記小切手保管箱４４が単一の保管箱内に具備されるか、単に単一の保管箱内部の空間が預け入れのための小切手が貯蔵される空間と引き出しのための小切手が貯蔵される空間に区画されてもよい。
【００５３】
前記金融機器１は、預け入れ過程で不良と判断される紙幣又は小切手が貯蔵される第１回収箱５０と、引き出し過程で不良と判断される紙幣又は小切手が貯蔵される第２回収箱５２と、回収補充箱６０のうち一つ以上を更に含む。前記第１回収箱５２及び前記第２回収箱５２はそれぞれ多数個に具備され、小切手回収箱と紙幣回収箱としてそれぞれ使用される。
【００５４】
前記回収補充箱６０は紙幣又は小切手を前記紙幣保管箱４１，４２，４３又は小切手保管箱４４に補充するか、前記紙幣保管箱４１，４２，４３又は小切手保管箱４４から紙幣又は小切手を回収する。又は、前記金融機器１は引き出しのために前記媒体入出部１３に放出された媒体を顧客が受け取らなかった場合、受け取れていない媒体が回収される第３回収箱（図示せず）を更に含んでもよい。
【００５５】
本発明の金融機器１において、前記回収箱５０，５２及び回収補充箱６０は省略されてもよい。また、前記回収箱５０，５２及び回収補充箱６０の個数にも制限がない。
【００５６】
図３は、本発明の第１実施例による小切手保管箱を概略的に示す図である。
【００５７】
図３を参照すると、本発明の第１実施例による小切手保管箱４４には預け入れのための小切手Ｍ１が臨時集積され、引き出しのための小切手Ｍ２が保管される。即ち、前記小切手保管箱４４は引き出しのための小切手保管部の機能だけでなく、投入される小切手を臨時に保管するための小切手臨時集積部の機能を行う。
【００５８】
前記小切手保管箱４４は、小切手をプリント（ｐｒｉｎｔｉｎｇ）するためのプリント装置（ｐｒｉｎｔｉｎｇ  ａｐｐａｒａｔｕｓ）１００と、小切手が移送されるためのメイン経路１５１と、小切手を反転するための反転部１１０と、臨時集積された小切手Ｍ１又は引き出しのための小切手Ｍ２をピックアップし放出するためのピックアップローラ１４０を含む。また、前記小切手保管箱４４は預け入れのための小切手Ｍ１を支持するための第１支持部１６１と、引き出しのための小切手Ｍ２を支持するための第２支持部１６２を含む。
【００５９】
前記メイン経路１５１は、前記プリント装置１００と前記小切手臨時集積部を連結する役割をする。
【００６０】
前記第１支持部１６１と前記第２支持部１６２との間に引き出しのための小切手Ｍ２が配置される。そして、前記第１支持部１６１の上側に預け入れのための小切手Ｍ１が置かれる。前記第１支持部１６１と前記第２支持部１６２との間の空間を小切手保管部という。前記第１支持部１６１と前記第２支持部１６２は独立的な駆動部によって上下に移動される。本実施例において、前記第１支持部１６１と第２支持部１６２は上下に移動可能であるため、前記小切手保管部の位置及びサイズは可変する。
【００６１】
他の例として、前記第２支持部１６２は駆動部によって上下に移動され、前記第１支持部１６１は弾性部材（図示せず）に連結される。前記弾性部材は、前記第１支持部１６１を下方に移動させるための弾性力を前記第１支持部１６１に提供する。この場合、前記第１支持部１６１に外力が加えられない状態では前記第１支持部１６１は図３のような状態を維持し、前記第２支持部１６２が上昇すると前記第２支持部１６２の上昇力が引き出しのための小切手Ｍ２によって前記第１支持部１６１に伝達されて前記第１支持部１６１が上昇する。この際、前記第１支持部１６１は前記ピックアップローラ１４０と干渉せず、前記ピックアップローラ１４０最低点より高い位置に上昇する。前記第１支持部１６１と前記ピックアップローラ１４０が干渉しないようにするために、前記第１支持部１６１には前記ピックアップローラ１４０が通過する開口部が形成される。
【００６２】
もちろん、前記第１支持部１６１が駆動部によって動作される場合でも前記第１支持部１６１は前記ピックアップローラ１４０の最低点より高い位置に上昇する。
本実施例において、前記小切手保管箱４４内での預け入れのための小切手Ｍ１と引き出しのための小切手Ｍ２が区分されて貯蔵される限り、上述した実施例に制限されずに多様な構造が適用される。
【００６３】
本実施例によると、前記小切手保管箱４４に預け入れのための小切手が臨時集積されるため別途の小切手臨時集積部を必要としない長所がある。もちろん、前記小切手保管箱４４とは別途に小切手臨時集積部が具備されてもよい。
【００６４】
前記プリント装置１００は小切手をプリントするためのプリントヘッド（ｐｒｉｎｔｉｎｇ  ｈｅａｄ）１０１と、前記プリントヘッド１０１と離隔された位置に配置される移送ガイダ１０２を含む。即ち、前記プリントヘッド１０１と前記移送ガイダ１０２がモジュール化されて前記プリント装置１００を構成する。これとは異なって、前記移送ガイダ１０２が前記プリント装置１００とは別途の物品として形成され、前記小切手保管箱４４内に前記プリントヘッド１０１と向かい合う位置に設置されてもよい。この場合、前記移送ガイダ１０２が前記小切手保管箱４４内に位置した状態で前記プリント装置１００が前記小切手保管箱４４から分離される。
【００６５】
前記移送ガイダ１０２は、一例に前記プリントヘッド１０１と水平方向に離隔される。よって、小切手は前記移動ガイダ１０２と前記プリントヘッド１０１との間の経路１３２を通る。
【００６６】
前記反転部１１０は小切手を反転させる役割をする。小切手を投入する際には小切手の裏面にプリントが行われ、小切手を引き出す際には小切手の表面にプリントが行われる。この際、投入された小切手の表面が前記プリントヘッド１０１と向かい合う状態で小切手が移送されると、前記反転部１１０は前記小切手の裏面が前記プリントヘッド１０１と向かい合うように前記小切手を引っくり返す役割をする。
【００６７】
前記反転部１１０は、前記メイン経路１５１から分岐される第１移送経路１５２と、前記第１移送経路１５２から分岐され、前記第１移送経路１５２と前記メイン経路１５１を連結するための第２移送経路１５３を含む。前記第２移送経路１５３は前記第１移送経路１５２の一地点に連結される。
【００６８】
また、前記反転部１１０は前記メイン経路１５１と前記第１移送経路１５２が当たる部分に位置する第１ダイバータ（ｄｉｖｅｒｔｅｒ）１１２と、前記第１移送経路１５２と前記第２移送経路１５３が当たる部分に位置する第２ダイバータ１１３と、前記メイン経路１５１と前記第２移送経路１５３が当たる部分に位置する第３ダイバータ１１５と、を含む。前記各ダイバータ１１２，１１３，１１５は小切手の移送方向を調節する。そして、前記第１移送経路１５２の端部には移送された小切手を支持するための支持部１３０が具備される。前記第１ダイバータ１１２及び前記第３ダイバータ１１５は図示されていないアクチュエータ（ａｃｔｕａｔｏｒ）によって動作する。一方、前記第２ダイバータ１１３は別途のアクチュエータがなくても小切手が移送される際に小切手の移送力によって動作する。もちろん、前記第２ダイバータ１１３が図示されていないアクチュエータによって動作してもよい。
【００６９】
また、前記反転部１１０は、前記第１移送経路１５２での媒体の移送のための一つ以上の駆動ローラ（ｒｏｌｌｅｒ）１２１と、一つ以上のピンチローラ（ｐｉｎｃｈｒｏｌｌｅｒ）１２２を含む。前記駆動ローラ１２１と前記ピンチローラ１２２は互いに独立した駆動部によって駆動する。他の例として、前記ピンチローラ１２２は小切手の移送過程で小切手との摩擦によって回転するように構成されてもよい。そして、前記駆動ローラ１２１と前記ピンチローラ１２２それぞれは両方向回転する。
【００７０】
前記ピンチローラ１２２と前記駆動ローラ１２１は、前記第１移送経路１５２の上の小切手を基準に互いに反対側に位置する。本実施例において、前記駆動ローラ１２１と前記ピンチローラ１２２の回転数を調節することで小切手の歪み（ｓｋｅｗ）を解消することができる。
【００７１】
図４は本発明の第１実施例による小切手の預け入れ過程を説明するためのフローチャートであり、図５は本発明の第１実施例によって小切手が預け入れされる際の小切手保管箱での小切手の移送経路を示す図である。
【００７２】
図３乃至図５を参照すると、小切手の預け入れ処理のために小切手が投入される（Ｓ１）。以下、一例として小切手が横方向に投入されることについて説明する。上述したように、前記小切手は各一枚を含むバンドル単位で投入されてもよく、紙幣と共に投入されてもよい。又は、紙幣のみが各一枚を含むバンドル単位で投入されてもよい。図５では一例として小切手の預け入れ過程について説明するが、紙幣の預け入れ過程は公知の従来の過程と同じであるか類似しているため、その詳細な説明は省略する。
【００７３】
小切手が投入された後、小切手が横方向に前記鑑別部２０に移送される。前記鑑別部２０では投入された小切手の状態が感知される（Ｓ２）。
【００７４】
次に、前記鑑別部２０又は図示されていない制御部は前記投入された小切手が正常状態であるのか否かを判断する（Ｓ３）。もし投入された小切手が正常状態であれば、前記鑑別部２０又は前記制御部は投入された小切手の反転が必要であるのか否かを判断する（Ｓ４）。小切手の反転必要可否は、前記鑑別部２０で認識した小切手の状態に基づいて決定される。
【００７５】
投入された小切手の反転が必要であれば、投入された小切手は前記小切手保管箱４４に引き入れられてから前記反転部１１０によって反転される（Ｓ５）。
【００７６】
詳しくは、前記小切手保管箱４４に引き入れられた小切手は前記第１ダイバータ１１２によって前記第１移送経路１５２に移動する（矢印Ａ１）。次に、小切手は前記駆動ローラ１２１と前記ピンチローラ１２２の一方向回転によって移送されて前記支持部１３０に安着される（矢印Ａ２）。次に、は前記駆動ローラ１２１と前記ピンチローラ１２２の逆方向回転によって前記支持部１３０の小切手は更に第１移送経路１５２に沿って移送される（矢印Ａ３）。
【００７７】
小切手が第１移送経路１５２に沿って移送される途中、前記小切手は前記第２ダイバータ１１３によって前記第２移送経路１５３に移送される（矢印Ａ４）。前記第２移送経路１５３に沿って移送された小切手は、前記メイン経路１５１に移送されてから前記第１支持部１６１の上側に集積される。即ち、前記反転部１１０によって反転された小切手Ｍ１が小切手臨時集積部に集積される（Ｓ６）。
【００７８】
一方、投入された小切手が非正常状態であれば前記媒体入出部１３に小切手が放出される（Ｓ１２）。
【００７９】
次に、顧客によって小切手の預け入れ確定命令が入力されたのか否かが判断される（Ｓ７）。ステップ７で預け入れ取消命令が入力された場合、前記小切手保管箱４４に臨時集積されている小切手は前記媒体入出口１３に放出される（Ｓ１２）。この際、預け入れ取消命令が入力された場合、臨時集積された小切手は前記ピックアップローラ１４０によってピックアップされてから前記メイン経路１５１に沿って移送される。
【００８０】
ステップ７で小切手の預け入れ確定命令が入力されたと判断されれば、前記小切手保管箱４４に臨時集積されている小切手Ｍ１のプリントが行われる（Ｓ８）。
【００８１】
詳しくは、前記小切手保管箱４４に臨時集積された小切手Ｍ１は前記プリントヘッド１０１と移送ガイダ１０２との間の経路１３２に移送された状態で停止する。次に、前記小切手Ｍ１が停止した状態で前記プリントヘッド１０２が図示されていないヘッド移送部によって前記小切手Ｍ１の縦方向に移送されながらプリントを行う。
【００８２】
本実施例において、前記小切手のプリント方向は前記プリントモジュール１０１のヘッドが移送される方向である縦方向であり、前記小切手が前記プリント装置に移送される方向は横方向である。よって、本実施例において、前記小切手の移送方向と前記プリント装置によるプリント方向が交差すると理解される。
【００８３】
他の例として、前記金融機器には小切手保管箱４４に小切手が引き入れられる前に投入された小切手の移送方向を変化させるための方向転換部が具備される。この場合、横方向に投入された小切手が前記方向転換部によって移送方向が縦方向に変化する。この場合、小切手が縦方向に前記小切手保管箱４４に引き入れられ、縦方向に前記小切手保管箱４４から放出される。この場合、前記小切手が移送される過程で前記プリントヘッド１０１によってプリントが行われる。即ち、プリントヘッドが縦方向に移送されずに停止した状態で小切手のプリントを行う。
【００８４】
小切手のプリントが完了されると、小切手は前記鑑別２０を更に通る。前記鑑別部２０はプリントされた小切手の状態を感知する（Ｓ９）。そして、前記制御部７０は正常的に小切手がプリントされたのか否かを判断する（Ｓ１０）。もし、小切手のプリントが正常的に行われたと判断されれば、前記小切手は小切手投入箱５４に貯蔵される（Ｓ１１）。一方、小切手が正常的にプリントされていないと判断されれば、前記小切手は預け入れ回収箱（第１回収箱）５０に移送される（Ｓ１３）。
【００８５】
図６は、本発明の第１実施例による小切手の引き出し過程を説明するためのフローチャートである。
【００８６】
図３乃至図６を参照すると、小切手の引き出しのために小切手引き出し命令が入力される（Ｓ２１）。小切手引き出し命令が入力されると、前記第１支持部１６１と前記第２支持部１６２が上昇する。前記第１支持部１６１は前記ピックアップローラ１４０の最低点より高い位置に上昇する。この状態で、前記ピックアップローラ１４０によって引き出しのための小切手Ｍ２がピックアップされる。ピックアップされた小切手Ｍ２は前記メイン経路１５１に沿って移送される。
【００８７】
次に、前記引き出しのための小切手がプリントされる（Ｓ２２）。この際、前記小切手を引き出す場合には上述したように前記小切手の表面にプリントが行われるため、前記小切手Ｍ２の表面が前記プリントヘッド１０１と向かい合う状態で前記小切手Ｍ２が移送される。即ち、前記第２支持部１６２には小切手Ｍ２の表面が上側を向くように前記小切手Ｍ２が集積される。
【００８８】
プリントが完了されると、小切手Ｍ２は前記鑑別２０を更に通る。前記鑑別部２０はプリントされた小切手Ｍ２の状態を感知する（Ｓ２３）。そして、前記制御部又は前記鑑別部２０は正常的に小切手がプリントされたのか否かを判断する（Ｓ２４）。もし、小切手のプリントが正常的に行われたと判断されれば、前記小切手Ｍ２は小切手を引き出しのために前記媒体入出部１３に移送される。一方、小切手Ｍ２が正常的にプリントされていないと判断されれば、前記小切手Ｍ２は引き出し回収箱（第２回収箱）５２に移送される（Ｓ２６）。前記小切手Ｍ２が前記引き出し回収箱に移送される場合、外部に異常状態情報が知らされる（Ｓ２７）。例えば、図示されていない表示部又は通知部から異常状態情報が音声又はテキストなどで知らされる。
【００８９】
本実施例によると、単一の媒体入出部を介してバンドル単位の紙幣及び／又は小切手を預け入れるか引き出すことができるため、預け入れ又は引き出しに所要される時間が減ってユーザの便宜性も向上される長所がある。
【００９０】
また、プリント装置が小切手保管箱に配置され、預け入れのための小切手が小切手保管箱に臨時に集積されることで金融機器内部の空間活用度が増加する長所がある。
また、小切手が反転部によって反転されるため小切手の表裏に関係なく小切手を入金することができ、単一のプリント装置によって投入された小切手のプリントが可能な長所がある。
【００９１】
本明細書では小切手のプリントについて説明するが、これとは異なって小切手以外の他の媒体のプリントにも本発明の思想がそのまま適用され得ることを明らかにする。
図７は本発明の第２実施例による小切手の預け入れ過程を説明するためのフローチャートであり、図８は本発明の第２実施例によって小切手が預け入れされる際の小切手保管箱での小切手の移送経路を示す図である。
【００９２】
本発明の第２実施例は反転部の構成においては第１実施例と同じであるが、単に反転部の作動時期（小切手の反転時期）において差がある。よって、以下では本発明の第２実施例の特徴的な部分についてのみ説明する。
【００９３】
図７乃至図８を参照すると、小切手の預け入れ処理のために小切手が投入される（Ｓ３１）。以下、一例として小切手が横方向に投入されることについて説明する。小切手が投入された後、小切手が横方向に前記鑑別部２０に移送される。前記鑑別部２０では投入された小切手の状態が感知される（Ｓ３２）。
【００９４】
次に、前記鑑別部２０又は図示されていない制御部は投入された小切手が正常状態であるのか否かを判断する（Ｓ３３）。もし、投入された小切手が正常状態であれば小切手Ｍ１が小切手臨時集積部に貯蔵される（Ｓ３４）。詳しくは、投入された小切手が正常状態であれば、小切手Ｍ１が第１ダイバータ１１２によって前記メイン経路１５１に沿って移送されて前記第１支持部１６１の上側に集積される（矢印Ｂ１）。
一方、投入された小切手が非正常状態であれば前記媒体入出部１３に小切手が放出される（Ｓ４２）。
【００９５】
次に、顧客によって小切手の預け入れ確定命令が入力されたのか否かを判断する（Ｓ３５）。ステップ３５で預け入れ取消命令が入力された場合、前記小切手保管箱４４に臨時集積された小切手Ｍ１は前記媒体入出口１３に放出される（Ｓ４２）。前記預け入れ取消命令が入力された場合、臨時集積された小切手Ｍ１はピックアップローラ１４０によってピックアップされてから前記メイン経路１５１に沿って移送される。
【００９６】
ステップ３５で小切手の預け入れ確定命令が入力されたと判断されれば、小切手Ｍ１の反転が必要であるのか否かを判断する（Ｓ３６）。もし、前記小切手Ｍ１の反転が必要であれば前記反転部１１０によって小切手Ｍ１が反転される（Ｓ３７）。ここで、小切手Ｍ１を臨時集積する前に前記鑑別部２０によって小切手の状態が判断されるため、判断された小切手の状態が図示されていないメモリに貯蔵され、小切手Ｍ１の預け入れ確定命令が入力されれば前記メモリに貯蔵された小切手Ｍ１の状態を把握して反転必要可否を決定する。
【００９７】
詳しくは、前記ピックアップローラ１４０によってピックアップされた小切手Ｍ１は前記第３ダイバータ１１５によって第２移送経路１５３に移送される（矢印Ｂ２）。次に、前記第２移送経路１５３の小切手は前記第２ダイバータ１１３によって前記第１移送経路１５２に移送される。前記第１移送経路１５２に移送された小切手は前記駆動ローラ１２１と前記ピンチローラ１２２の一方向回転によって移送されて前記支持部１３０に安着される（矢印Ｂ３）。次に、は前記駆動ローラ１２１と前記ピンチローラ１２２の逆方向回転によって前記支持部１３０の小切手は更に第１移送経路１５２に沿って移送されて反転される（矢印Ｂ４及びＢ５）。反転が完了された小切手Ｍ１は、前記メイン経路１５１に移送されてから前記プリントヘッド１０１によってプリントされる（Ｓ３８）。
【００９８】
小切手のプリントが完了されると、小切手Ｍ１は前記鑑別２０を更に通る。前記鑑別部２０はプリントされた小切手の状態を感知する（Ｓ３９）。そして、前記鑑別部２０又は前記制御部は正常的に小切手Ｍ１がプリントされたのか否かを判断する（Ｓ４０）。もし、小切手Ｍ１のプリントが正常的に行われたと判断されれば、前記小切手Ｍ１は小切手投入箱５４に貯蔵される（Ｓ４１）。一方、小切手Ｍ１が正常的にプリントされていないと判断されれば、前記小切手Ｍ１は預け入れ回収箱（第１回収箱）５０に移送される（Ｓ４３）。
【００９９】
図９は、本発明の第３実施例による小切手保管箱を概略的に示す図である。
【０１００】
本実施例は他の部分においては第１実施例又は第２実施例と同じであるが、単に小切手保管箱の内部での小切手の移送経路において差がある。よって、以下では本発明の第３実施例の特徴的な部分についてのみ説明する。
【０１０１】
図９を参照すると、本発明の第３実施例による小切手保管箱４４は、小切手をプリントするためのプリント装置１００と、引き入れられた小切手が移送される引き入れ経路１７１と、引き出しのための小切手外装される引き出し経路１７２を含む。このような引き入れ経路１７１と引き出し経路１７２は後述する入出経路１７０からそれぞれの経路に分岐され、プリント装置１００を経てから合わせられてメイン経路１５１に連結される。
【０１０２】
また、小切手保管箱４４は、入出経路１２９と、前記引き入れ経路１７１及び引き出し経路１７２と連結されるメイン経路１５１と、小切手を反転するための反転部１１０と、臨時集積された小切手Ｍ１又は引き出しのための小切手Ｍ２をピックアップして放出するためのピックアップローラ１４０を含む。また、前記小切手保管箱４４は預け入れのための小切手Ｍ１を支持するための第１支持部１６１と、引き出しのための小切手Ｍ２を支持するための第２支持部１６２を含む。
【０１０３】
前記入出経路１７０上の前記引き入れ経路１７１と引き出し経路１７２が分岐する部分には、小切手の移送方向を調節するダイバータ１０５が具備される。前記ダイバータ１０５は前記小切手保管箱４４に引き入れられた小切手が前記引き入れ経路１７１に移送されるように作動し、前記引き出し経路１７２に移送されてプリント装置１００によってプリントされた小切手が引き出し経路１７０を介して小切手保管箱４４から排出されるように作動する。
【０１０４】
前記引き出し経路１７２に沿って小切手が移送される際、小切手のプリントが行われる。この際、前記小切手のプリントが行われるためには前記小切手と前記プリントヘッド１０１が接触すべきである。よって、前記引き出し経路１７２の幅は前記引き入れ経路１３１の幅に比べ小さく形成され、前記引き出し経路１７２には小切手をプリントヘッドに接触させるためのローラなどが具備される。
【０１０５】
第１実施例で説明したように、前記プリント装置１００が前記移送ガイダ１０２を含む場合には前記引き出し経路１７２はプリント装置１００内に形成される。これとは異なって、前記移送ガイダ１０２が前記プリント装置１００とは別途の構成である場合、前記引き出し経路１７２は前記プリント装置１００の外側に形成される。
本実施例によると、臨時集積のための小切手が前記引き入れ経路１７１に沿って移送される。よって、小切手が臨時集積される過程で前記プリント装置１００の構成にかかる現象が防止され、小切手が迅速に移送されるようになる。
【０１０６】
前記反転部１１０は第１実施例で説明した構造と同じであるため、その詳細な説明は省略する。
【０１０７】
図１０は本発明の第３実施例による小切手の預け入れ過程を説明するためのフローチャートであり、図１１は本発明の第３実施例によって小切手が預け入れされる際の小切手保管箱での小切手の移送経路を示す図である。
【０１０８】
図９乃至図１１を参照すると、小切手の預け入れ処理のために小切手が投入される（Ｓ５１）。以下、一例として小切手が横方向に投入されることについて説明する。前記小切手は各一枚を含むバンドル単位で投入されてもよく、紙幣と共に投入されてもよい。又は、紙幣のみが各一枚を含むバンドル単位で投入されてもよい。図１１では一例として小切手の預け入れ過程について説明するが、紙幣の預け入れ過程は公知の従来の過程と同じであるか類似しているため、その詳細な説明は省略する。
【０１０９】
小切手が投入された後、小切手が横方向に前記鑑別部２０に移送される。前記鑑別部２０では投入された小切手の状態が感知される（Ｓ５２）。
【０１１０】
次に、前記鑑別部２０又は図示されていない制御部は投入された小切手が正常状態であるのか否かを判断する（Ｓ５３）。もし、投入された小切手が正常状態であれば、前記小切手保管箱に引き入れられた小切手Ｍ１が引き入れ経路１７１に沿って移送される（矢印Ｃ１）。即ち、小切手Ｍ１が引き入れ経路１７１に沿って移送されるように前記ダイバータ１０５が作動する（Ｓ５４）。そして、前記引き入れ経路１７１に沿って移送される小切手は前記メイン経路１５１に沿って移送されてから前記小切手臨時集積部に集積される（Ｓ５５）（矢印Ｃ２）。
【０１１１】
一方、投入された小切手が非正常状態であれば前記媒体入出部１３に小切手が放出される（Ｓ６３）。
【０１１２】
次に、顧客によって小切手の預け入れ確定命令が入力されたのか否かが判断される（Ｓ５６）。ステップ５６で預け入れ取消命令が入力された場合、前記小切手保管箱４４に臨時集積された小切手Ｍ１は前記媒体入出口１３に放出される（Ｓ６３）。
【０１１３】
ステップ５６で小切手の預け入れ確定命令が入力されたと判断されれば、小切手の反転が必要であるのか否かを判断する（Ｓ５７）。ここで、小切手を臨時集積する前に前記鑑別部２０によって小切手の状態が判断されるため、判断された小切手の状態が図示されていないメモリに貯蔵され、小切手の預け入れ確定命令が入力されれば、前記メモリに貯蔵された小切手の状態を把握して反転必要可否を決定する。もし、小切手の反転が必要であれば前記小切手が放出される過程で前記反転部１１０によって小切手が反転される（Ｓ５８）。詳しくは、ピックアップローラ１４０によってピックアップされた小切手は前記第３ダイバータ１１５によって第２移送経路１５３に移送される（矢印Ｅ１）。次に、前記第２移送経路１５３の小切手は前記第２ダイバータ１１３によって前記第１移送経路１５２に移送される。前記第１移送経路１５２に移送された小切手は前記駆動ローラ１２１と前記ピンチローラ１２２の一方向回転によって移送されて前記支持部１３０に安着される（矢印Ｅ２）。次に、前記駆動ローラ１２１と前記ピンチローラ１２２の逆方向回転によって前記支持部１３０の小切手は更に第１移送経路１５２に沿って移送されて反転される（矢印Ｅ３及びＥ４）。反転が完了された小切手Ｍ１は前記メイン経路１５１に移送されてから前記引き出し経路１７２に移送され、プリントヘッド１０１によってプリントされる（Ｓ５９）。
【０１１４】
詳しくは、前記小切手保管箱４４に臨時集積された小切手Ｍ１は前記プリントヘッド１０１と移送ガイダ１０２との間に移送された状態で停止する。次に、前記小切手Ｍ１が停止した状態で前記プリントヘッド１０１が図示されていないヘッド移送部によって前記小切手Ｍ１の縦方向に移送されながらプリントを行う。
【０１１５】
小切手のプリントが完了されると、小切手Ｍ１は前記鑑別２０を更に通る。前記鑑別部２０はプリントされた小切手の状態を感知する（Ｓ６０）。そして、前記鑑別部２０又は制御部は正常的に小切手がプリントされたのか否かを判断する（Ｓ６１）。もし、小切手のプリントが正常的に行われたと判断されれば、前記小切手Ｍ１は小切手投入箱５４に貯蔵される（Ｓ１２）。一方、小切手が正常的にプリントされていないと判断されれば、前記小切手Ｍ１は預け入れ回収箱（第１回収箱）５０に移送される（Ｓ６４）。
【０１１６】
本発明の第３実施例による小切手の引き出し過程は第１実施例の引き出し過程と同じであるため、その詳細な説明は省略する。
【０１１７】
本発明の第３実施例によると、引き入れ経路と引き出し経路が区分され、小切手保管箱に引き入れられた小切手が引き入れ経路を経て小切手臨時集積部に集積されるため、小切手の集積速度が向上する長所がある。また、小切手保管箱に引き入れられた小切手がプリント装置を通過せずに小切手臨時集積部に集積されるため、小切手が移送される過程でプリント装置に小切手がかかることが防止される。
【０１１８】
前記では小切手臨時集積部に小切手が集積され、預け入れが確定されてから小切手が反転部で反転されると説明したが、これとは異なって小切手の反転が必要な場合、第２実施例のように前記小切手臨時集積部に小切手が集積される前に小切手が反転され、反転された小切手が小切手臨時集積部に集積されてもよい。
【０１１９】
前記例では小切手をプリントする際の小切手の引き入れ経路と引き出し経路について説明したが、これとは異なって小切手以外の媒体のプリントが必要な場合でも引き入れ経路と引き出し経路が区分されてもよい。
【０１２０】
即ち、本発明の第３実施例で説明される引き入れ経路及び引き出し経路は、小切手保管箱以外も紙幣保管箱、回収箱など多様な保管箱に適用される。
【０１２１】
図１２及び図１３は本発明の第４実施例による小切手保管箱を概略的に示す図であって、図１２はプリント装置が小切手保管箱に装着された状態を示し、図１３はプリント装置が小切手保管箱から分離された状態を示す。
【０１２２】
本発明の第４実施例は他の部分においては第１実施例乃至第３実施例のうち一つ以上と同じであり、プリント装置が反転部に安着されることをその特徴とする。よって、以下では本発明の第４実施例の特徴的な部分についてのみ説明する。
【０１２３】
そして、図１２及び図１３には第３実施例で説明された引き入れ経路、引き出し経路及び入出経路が図示されていないが、引き入れ経路、引き出し経路及び入出経路が本発明の第４実施例の小切手保管箱に具備されてもよいことはもちろんである。
【０１２４】
まず図１２を参照すると、本発明の第２実施例による小切手保管箱４４は、小切手をプリントするためのプリント装置１００と、小切手が移送されるためのメイン経路１５１と、小切手を反転するための反転部１１０を含む。
【０１２５】
前記メイン経路１５１は、前記プリント装置１００と前記小切手臨時集積部を連結する役割をする。
【０１２６】
前記プリント装置１００は前記小切手保管箱４４に分離可能に装着される。即ち、プリントヘッド１０１及び移送ガイダ１０２が共に前記小切手保管箱４４から分離される。これとは異なって、第１実施例で説明したように前記移送ガイダ１０２が小切手保管箱４４に位置した状態で前記プリントヘッド１０２が前記小切手保管箱４４から分離されてもよい。
【０１２７】
前記プリント装置１００が前記小切手保管箱４４に分離可能に装着されるためには、前記小切手保管箱４４には図示されていないが、前記小切手保管箱４４の内部空間を開閉するドアが具備される。
【０１２８】
前記反転部１１０は、前記メイン経路１５１から分岐される第１移送経路１５２と、前記第１移送経路１５２から分岐され、前記第１移送経路１５２と前記メイン経路１５１を連結するための第２移送経路１５３を含む。
【０１２９】
前記反転部１１０は、前記第１移送経路１５２を形成するための第１移送ガイド（ｇｕｉｄｅ）１５５と前記第２移送ガイド１５６を含む。
【０１３０】
前記第１移送ガイド１５５は前記小切手保管箱４４の内部に固定されたフレーム（図示せず）に固定され、前記第２移送ガイド１５６は前記フレーム又は前記第１移送ガイド１５５にヒンジ軸１５７によって回転可能に連結される。
【０１３１】
図１２のような状態で前記プリント装置１００を前記小切手保管箱４４から分離すると、前記第２移送ガイド１５６は図１３のように前記ヒンジ軸１５７を基準に反時計方向に回転される。
【０１３２】
そして、図１３のような状態で前記プリント装置１００が前記小切手保管箱４４に装着されると、前記第２移送ガイド１５６が前記ヒンジ軸１５７を基準に前記時計方向に回転されて図１２のような状態になる。
【０１３３】
即ち、前記プリント装置１００と前記第２移送ガイド１５６の上側に安着されて前記第２移送ガイド１５６を加圧する。そして、前記ヒンジ軸１５７には弾性部材１５８が連結される。前記弾性部材１５８は前記第２移送ガイド１５６がヒンジ軸１５７を基準に反時計方向（前記第２移動ガイド１５６が引き上げられる方向）に回転されるようにする弾性力を前記第２移送ガイド１５６に提供する。即ち、前記弾性部材１５８は第２移送ガイド１５６が前記第１移送ガイド１５２を形成しない方向に回転されるようにする弾性力を前記第２移送ガイド１５６に提供する。
【０１３４】
本実施例のように前記プリント装置１００を前記小切手保管箱４４から分離すると、前記弾性部材１５８の弾性力が前記第２移送ガイド１５６に加えられて前記第２移送ガイド１５６が図１３のように引き上げられる。よって、前記第１移送経路１５２又は第２移送経路１５３上で媒体の渋滞が発生する場合、前記プリント装置１００を前記小切手保管箱４４から分離することで媒体の渋滞現象を容易に解消することができる。即ち、ユーザが容易に各移送経路１５２，１５３に接近することができる。
【０１３５】
他の例として、前記各移送ガイド１５５，１５６に媒体の移送のためのローラが具備されて前記プリント装置１００が装着されると前記第２移送ガイド１５６のローラが前記第１移送ガイド１５５のローラを加圧し、前記プリント装置１００が分離されるとローラ間の反発力によって前記第２移送ガイド１５６が前記第１移送ガイド１５５と離隔されるように構成されてもよい。
【０１３６】
前記第１移送経路１５２の端部には移送された小切手を支持するための支持部１３０が具備される。前記支持部１３０は一例に前記第１移送ガイド１５５が形成してもよい。もちろん、前記支持部１３０は前記第２移送ガイド１５６に形成されてもよい。
【０１３７】
また、前記反転部１１０は前記第１移送経路１５２上の媒体の感知するための感知器具１８０を更に含む。
【０１３８】
詳しくは、前記感知器具１８０は前記第１移送ガイド１５５に具備されるセンサ部１８１と、前記第２移送ガイドに具備されるプリズム（ｐｒｉｓｍ）１８２を含む。
【０１３９】
前記センサ部１８１は発光センサ（ｓｅｎｓｏｒ）と受光センサを含む。よって、前記発光センサから照査された光は前記プリズム１８２を経て受光センサに入射される。本実施例において、前記発光センサの光が前記受光センサに入射される場合には媒体が感知されていないと判断され、発光センサの光が前記受光センサに入射されていない場合には媒体が感知されたと判断される。
【０１４０】
本実施例では前記プリズム１８２が前記第２移送ガイド１８２に具備されるため、前記プリント装置１００が前記小切手保管箱４４に装着されなければ前記プリズム１８２と前記センサ部１８１は整列されない。よって、前記プリント装置１００が前記小切手保管箱４４から分離されると、前記第２移送ガイド１５６が回転されて前記プリズム１８２と前記センサ部１８１が整列されなくなる。
【０１４１】
このように前記プリズム１８２が前記第２移送ガイド１５６に具備されることで、本実施例では感知器具１８０を利用して前記プリント装置１００の装着可否を確認する。
即ち、前記プリント装置１００が前記小切手保管箱４４に装着されていなければ前記プリズム１８２が前記センサ部１８１と整列されなくなるため、前記発光センサから照査された光を前記受光センサで受光することができなくなる。よって、前記受光センサで光を受光できない場合には前記プリント装置１００が前記小切手保管箱４４に装着されていないと判断される。
【０１４２】
そして、前記受光センサで光を受光する場合には前記プリント装置１００が装着されていると判断され、前記プリント装置１００が前記小切手保管箱４４に装着されていないと判断された後には前記感知器具１８０を利用して前記第１移送経路１５２上の媒体の有無を感知する。
【０１４３】
よって、本実施例によると単一の感知器具１８０を利用して媒体の感知だけでなくプリント装置の装着可否を感知することができるため、小切手保管箱の構造が簡単で製作コストが低くなる長所がある。
【０１４４】
もちろん、前記感知器具１８０と同じ原理又は他の原理を利用したセンサが追加的に具備されて前記プリント装置１００の装着を感知してもよい。
上述した実施例では前記第１移送ガイド１５５にセンサ部１８１が具備され、前記第２移送ガイド１５６にプリズム１８２が具備されることについて説明したが、これとは異なって、前記第１移送ガイド１５５及び前記第２移送ガイド１５６のうちいずれか一つに発光センサが具備されて他の一つに受光センサが具備されてもよいことを明らかにする。他の例として、前記第１移送ガイドにプリズムが具備されて第２移送ガイドにセンサ部が具備されてもよい。
【０１４５】
本発明の第４実施例ではプリント装置の装着可否を感知することについて説明したが、これとは異なって媒体保管箱から分離され得る他の構成の装着可否を感知することもできるということを明らかにする。
【０１４６】
また、本発明の第４実施例では小切手保管箱を例に挙げて説明したが、本実施例の思想は紙幣保管箱、回収箱など媒体を保管する構成であればいずれの構成にも適用可能であることを明らかにする。
【０１４７】
また、本実施例の思想は媒体保管箱だけでなく、前記金融機器の内部で媒体の移送経路を形成するための移送ガイダにもそのまま適用される。
【０１４８】
以上、実施例の実施例を構成する全ての構成要素が一つに結合するか結合して動作すると説明されたとして本発明が必ずしもこのような実施例に限ることはない。即ち、本発明の目的範囲内であればその全ての構成要素が一つ以上で選択的に結合して動作してもよい。また、上述した「含む」、「構成する」又は「有する」という用語は、特に反対する記載がない限り該当構成要素が内在することを意味するため、他の構成要素を除くのではなく他の構成要素を更に含むと解析すべきである。技術的であるか科学的な用語を含む全ての用語は、別に定義されない限り本発明が属する技術分野における通常の知識を有する者によって一般的に理解されることと同じ意味を有する。辞書に定義された用語のように一般的に使用される用語は関連技術の文脈上の意味と一致すると解析すべきであり、本発明で明白に定義しない限り理想的であるか過度に形式的な意味で解釈されない。
【０１４９】
上述した説明は本発明の技術思想を例示的に説明したものに過ぎず、本発明が属する技術分野における通常の知識を有する者であれば本発明の本質的な特性から逸脱しない範囲内で多様な修正及び変形が可能であるはずである。よって、本発明に開示された実施例は本発明の技術的思想を限定するためではなく説明するためのものであり、このような実施例によって本発明の技術思想の範囲が限定されることはない。本発明の保護範囲は以下の特許請求の範囲によって解析されるべきであり、それと同等な範囲内にある全て技術思想は本発明の権利範囲に含まれると解析されるべきである。
【図１】
0005959643.tif 000002
【図２】
0005959643.tif 000003
【図３】
0005959643.tif 000004
【図４】
0005959643.tif 000005
【図５】
0005959643.tif 000006
【図６】
0005959643.tif 000007
【図７】
0005959643.tif 000008
【図８】
0005959643.tif 000009
【図９】
0005959643.tif 000010
【図１０】
0005959643.tif 000011
【図１１】
0005959643.tif 000012
【図１２】
0005959643.tif 000013
【図１３】
0005959643.tif 000014